(57)【要約】【課題】  電話機が接続されたファクシミリ装置が通信回線に接続されていない状態に移行した場合に消費される電力を削減する。【解決手段】    通信回線に接続してデータ送受信を行うファクシミリ装置であって、接続される電話機に直流電源を印加する電源手段と、前記通信回線と接続されているかどうかを検知する第１の検知手段と、前記第１の検知手段が通信回線と接続されていないことを検知することに応じて、前記電源手段から前記電話機に対する直流電源の供給状態を制御する第１の制御手段と、を備えることを特徴とする。【選択図】  図２
2016225936.tif 000002
【特許請求の範囲】
【請求項１】
通信回線に接続してデータ送受信を行うファクシミリ装置であって、
接続される電話機に直流電源を印加する電源手段と、
前記通信回線と接続されているかどうかを検知する第１の検知手段と、
前記第１の検知手段が通信回線と接続されていないことを検知することに応じて、前記電源手段から前記電話機に対する直流電源の供給状態を制御する第１の制御手段と、
を備えることを特徴とするファクシミリ装置。
【請求項２】
前記通信回線に対して前記電話機を接続している状態、または接続していない状態に切り替える切替手段と、
前記検知手段が通信回線と接続されていないことを検知することに応じて、前記電源手段から前記切替手段に対する直流電源の供給状態を制御する第２の制御手段と、
を備えることを特徴とする請求項１記載のファクシミリ装置。
【請求項３】
前記第１の検知手段が前記通信回線に接続されていないことを検知した後、前記通信回線に再接続されたことを検知することに応じて、前記電話機がオフフック状態であるか、オンフック状態であるかを検知する第２の検知手段を備え、
前記第２の検知手段により前記電話機がオフフック状態であることを検知した場合、前記第１の制御手段が前記電話機に対する直流電源の供給を停止した後、前記切替手段は、前記電話機を前記通信回線と接続されている状態に切替え、前記第２の検知手段により前記電話機がオンフック状態であることを検知した場合、前記電話機に対する直流電源の供給を開始した後、前記切替手段は、前記電話機を前記通信回線と接続されていない状態に切替えることを特徴とする請求項２記載のファクシミリ装置。
【請求項４】
前記電話機に対する着信モードの設定が鳴動着信モードであるか、無鳴動着信モードであるかどうかを判断する判断手段を備え、
前記電話機に対する着信モードの設定が鳴動着信モードであると判断した場合、前記第１の制御手段が前記電源手段から前記電話機に対する直流電源の供給状態を停止した後、前記切替手段は、前記電話機を通信回線に接続するように切り替えることを特徴とする請求項２記載のファクシミリ装置。
【請求項５】
通信回線に接続してデータ送受信を行うファクシミリ装置であって、
接続される電話機に直流電源を印加する電源手段と、
前記通信回線と接続されているかどうかを検知するモデムと、
前記モデムが通信回線と接続されていないことを検知することに応じて、前記電源手段から前記電話機に対する直流電源の供給状態を制御する第１の制御手段と、
を備えることを特徴とするファクシミリ装置。
【請求項６】
前記通信回線は、公衆回線であることを特徴とする請求項１乃至５のいずれか１項に記載のファクシミリ装置。
【請求項７】
通信回線に接続してデータ送受信を行うファクシミリ装置の制御方法であって、
前記通信回線と接続されているかどうかを検知する検知工程と、
前記検知工程が通信回線と接続されていないことを検知することに応じて、電源手段から電話機に対する直流電源の供給状態を制御する第１の制御工程と、
を備えることを特徴とするファクシミリ装置の制御方法。
【請求項８】
請求項７に記載のファクシミリ装置の制御方法をコンピュータに実行させることを特徴とするプログラム。
【発明の詳細な説明】
【技術分野】
【０００１】
本発明は、ファクシミリ装置、ファクシミリ装置の制御方法、及びプログラムに関するものである。
【背景技術】
【０００２】
従来のファクシミリ装置は、例えば特許文献１のように、通信回線抜き差し検知を行い、それに応じて回線抜けを表示する等の制御を行うものが存在していた。
【先行技術文献】
【特許文献】
【０００３】
【特許文献１】特開２００１−１６３５２号公報
【発明の概要】
【発明が解決しようとする課題】
【０００４】
従来ファクシミリ装置の無鳴動着信モード設定時には、外付け電話機は、回線から切り離され、電話機側と絶縁の取られた直流印加回路（ＶＨ回路）から電話機への直流印加が行われていた。また、通信回線が抜かれた時にも、この直流印加は行われていた。  
【０００５】
この直流印加は、ファクシミリ装置が省エネモード時であっても、無鳴動着信時にはオフできなかった。また、例えば、電気通信事業法第四章電話用設備に接続される端末設備第一節アナログ電話端末第十三条直流回路の電気的条件等の規格を根拠に行われていた。
ここで、直流回路の直流抵抗値は、２０ｍＡ以上１２０ｍＡ以下の電流で測定した値で５０Ω以上３００Ω以下であることと記載されている。
【０００６】
言い換えると、ファクシミリに接続されるアナログ電話機のインピーダンスが３００Ωである時に２０ｍＡ以上電流を流す事が必要であった。これを単純に計算すると１２０ｍＷの電力が必要であった。この直流印加は、直接  通信回線側に行われるわけではなく、通信回線側と絶縁を取りつつ行う必要があった。そのため、エネルギー変換率が低く、実際には１２０ｍＷの数倍のエネルギーを消費しつつ行われた。
【０００７】
また、通信回線抜け時には、電話機がオフフックされても電話はかけられない。また、相手から呼び出し信号が来ることはない。それにもかかわらず、電話機のオフフック検知のための直流印加回路への給電が行われていた。それにより、無駄なエネルギーを消費していた。
【０００８】
本発明は、上記の課題を解決するためになされたもので、本発明の目的は、電話機が接続されたファクシミリ装置が通信回線に接続されていない状態に移行した場合に消費される電力を削減できる仕組みを提供することである。
【課題を解決するための手段】
【０００９】
上記目的を達成する本発明のファクシミリ装置は以下に示す構成を備える。
通信回線に接続してデータ送受信を行うファクシミリ装置であって、接続される電話機に直流電源を印加する電源手段と、前記通信回線と接続されているかどうかを検知する第１の検知手段と、前記第１の検知手段が通信回線と接続されていないことを検知することに応じて、前記電源手段から前記電話機に対する直流電源の供給状態を制御する第１の制御手段と、を備えることを特徴とする。
【発明の効果】
【００１０】
本発明によれば、電話機が接続されたファクシミリ装置が通信回線に接続されていない状態に移行した場合に消費される電力を削減できる。
【図面の簡単な説明】
【００１１】
【図１】ファクシミリ装置の構成を説明するブロック図である。
【図２】ファクシミリ装置の制御方法を説明するフローチャートである。
【図３】ファクシミリ装置の制御方法を説明するフローチャートである。
【図４】ファクシミリ装置の電話機のフック検知状態を示すブロック図である。
【図５】ファクシミリ装置の電話機のフック検知状態を示すブロック図である。
【図６】ファクシミリ装置の電話機のフック検知状態を示すブロック図である。
【発明を実施するための形態】
【００１２】
次に本発明を実施するための最良の形態について図面を参照して説明する。
＜システム構成の説明＞
〔第１実施形態〕
図１は、本実施形態を示すファクシミリ装置の構成を説明するブロック図である。本例に示すファクシミリ装置では、後述するように、外付け電話機１２８に対する動作モードとして、着信でスピーカが鳴動する鳴動着信モードとスピーカが鳴動しない無鳴動着信モードが存在する。以下、通信回線に接続してデータ送受信を行うファクシミリ装置を例として実施形態を説明する。
【００１３】
図１において、システム・オン・チップ（ＳＯＣ）１０１は、ファクシミリ装置１００のシステム全体を制御する。ファクシミリ装置１００におけるＣＰＵ２００は、ＳＯＣ１０１上に実装されている。ＳＯＣ１０１に接続されたメモリ１４０は、主記憶装置であり、ＳＯＣ１０１のＣＰＵ２００のシステムワークメモリ、本発明処理を実行するための制御プログラムを格納するメモリとして機能する。また、メモリ１４０は、ファクシミリ送信又はファクシミリ受信等の際に、画像データや各種情報を一時的に記憶するためのメモリとしても機能する。また、ユーザが設定した情報を格納する。
【００１４】
ＳＤＡＡプログラム２０２は、モデム１０２に転送され、ＲＡＭ２０４に展開された後に、ＤＳＰ２０５で実行されるプログラムである。ＳＯＣ１０１には、操作パネル１１８、読取部１２１、記録部１２２、インタフェース（ＩＦ）部１２３が接続されている。操作パネル１１８は、表示器１１９及びキーボード類１２０を備え、これらはユーザ・インタフェースとして機能する。表示器１１９は、装置の状態やメニューに関する表示を行う。
【００１５】
また、キーボード類１２０は、ユーザからの各種の指示の入力を受け付けるボタンやテンキー等のキーボードである。ユーザがこのキーボードを用いて、ユーザ設定情報を入力する事が可能である。読取部１２１は、原稿から画像を読み取って、画像データを生成する。生成された画像データは、通信回線１３０を介して相手側装置に対してファクシミリ送信されてもよいし、記録部１２２で印刷されても良い。インタフェース（ＩＦ）部１２３は、各種の情報機器が外部から接続される場合のインタフェースとして機能する。
【００１６】
２５０は、スピーカ回路である。ＰＳＴＮ２１０からの呼び出し信号すなわちＣＩ信号を受け、疑似ベル音、すなわち疑似的な電話機の鳴動音を、出力することが可能である。
【００１７】
モデム１０２は、ＳＯＣ１０１に接続されており、ＳＯＣ１０１による制御に基づいて動作する変復調器である。モデム１０２は、ファクシミリ送信の対象となる、読取部１２１で読み取られた画像データを用いた変調処理と、通信回線１３０を介して受信した信号の復調処理を行う。モデム１０２は、絶縁素子１０３を介してＳＤＡＡ（すなわちシリコンＤＡＡ）１０４と接続されている。
【００１８】
ＲＯＭ２０３は、ＲＡＭ２０４に展開され、ＤＳＰ２０５に実行されるプログラムを格納しているＲＯＭである。ＲＡＭ２０４は、ホストから転送されるＳＤＡＡプログラム２０２とＲＯＭ２０３の内容を展開し、ＤＳＰ２０５に実行させるためのＲＡＭである。２０５のＤＳＰは、ＲＡＭ２０４の内容に基づいてモデム１０２の動作を行う。２０６は、ＳＤＡＡ１０４の状態を格納、あるいは、ＳＯＣ１０１からの指示を格納するためのレジスタである。
【００１９】
ＳＤＡＡ１０４は、網制御手段の一例であって、半導体ＮＣＵ（ネットワーク制御ユニット）である。ＳＤＡＡ１０４は、通信回線１３０と接続されており、ファクシミリ装置１００と外部の公衆回線（通信回線）１３０とのインタフェースとして機能する網制御装置である。
【００２０】
また、ＳＤＡＡ１０４は、通信回線１３０を介して相手側装置との間で通信を行う際に、回線の接続（捕捉）状態を制御する。通信回線１３０には、ファクシミリ装置１００に外付けされた電話機１２８も接続される。電話機１２８は、Ｈリレー１１０を介して通信回線１３０に接続されており、ＳＤＡＡ１０４は、電話機１２８と並列に通信回線１３０に接続されている。
【００２１】
ＳＤＡＡ１０４は、ファクシミリ送受信を行う場合に、回線を捕捉してその通信を制御するだけでなく、電話機１２８が通信回線１３０を介して相手側装置との間で音声通信を行う場合にも、回線の捕捉状態を制御する。ＳＤＡＡ１０４は、これらの制御をＳＯＣ１０１の制御に基づいて実行する。
【００２２】
ＳＤＡＡ１０４は、回線捕捉手段１０５を使用して回線の直流捕捉状態を制御する。この回線捕捉手段により直流捕捉される場合の直流インピーダンスは可変である。このインピーダンスは、あらかじめ設定された、直流的な電圧に対する電流特性（以下、ＤＣ−ＶＩ特性）により制御される事により得られる。電圧検知手段１５０は、回線上の電圧をモニタする手段である。電流検知手段１５１は、回線上の電流をモニタする手段である。
【００２３】
ＡＣフィルタ手段２０１は、電圧検知手段１５０あるいは電流検知手段１５１の前段に接続され、電圧検知手段１５０あるいは電流検知手段１５１でＤＣ電圧あるいは、電流を検知する場合に、ＡＣ成分による誤検知を防ぐためのものである。直流捕捉回路１５２は、トランジスタなどにより構成されるＳＤＡＡ１０４の周辺回路であり、直流捕捉を行いながら、ＳＤＡＡ１０４の制御で直流インピーダンスの調整を行うことに供される回路である。回線開放状態を作り出したり、回線に対する選択信号の１種であるダイヤルパルス送出にも使用されたりする。線２３０は、電流がＰＳＴＮ２１０から流れこむ線で、線２４０は、電流がＰＳＴＮ２１０へと帰還する線である。ＳＤＡＡ１０４は、この線２３０あるいは線２４０の電流値と線２３０と線２４０間の電圧値を検知可能である。
【００２４】
整流回路１５５は、ダイオードブリッジ等からなり、回線からの信号を整流して１０４側へと伝えるものである。受信ＩＦ回路１５３は、通信回線１３０を介して受信されるファクシミリの受信信号などを受信するためのインタフェース回路である。交流インピーダンス整合回路１５４は、通信中の交流インピーダンスを合わせるための回路である。
【００２５】
例えば、日本の場合は、交流インピーダンスを６００オームに合わせる。ノイズ除去回路１５６は、通信回線１３０からの雷サージ、電磁ノイズなどを抑制し、逆に通信回線１３０を介して、ファクシミリ装置１００のノイズが送出されることを防ぐ回路である。ＣＩ検知回路１０８は、通信回線１３０に接続されており、通信回線１３０から受信した呼び出し信号（以下では、「ＣＩ信号」と称する。）を検知する。ＣＩ検知回路１０８は、通信回線１３０からのＣＩ信号を検知すると、そのことを示すＣＩ検知信号１０９をＳＯＣ１０１に対して送信する。ＳＯＣ１０１は、ＣＩ検知信号１０９に基づいて、通信回線１３０からＣＩ信号の着信があったか否かを判断することができる。
【００２６】
絶縁素子１０８０は、１０８に含有される絶縁素子である。高圧電圧の印加されるＰＳＴＮ２１０側と低圧電圧で駆動されるＳＯＣ１０１側の絶縁を取るためのものである。Ｈリレー１１０は、外付けの電話機１２８を、整流／平滑回路２５６、あるいは通信回線１３０に接続するための回路である。
【００２７】
Ｈリレー１１０は、切替手段の一例であって、外付けの電話機１２８を通信回線１３０へ接続した接続状態と、通信回線１３０から切断した切断状態との間の切り替えを行う。また、Ｈリレー１１０は、Ｈリレー駆動信号２５１を用いて、ＳＯＣ１０１によって制御される。なお、図１に示すようにＨリレー１１０で外付けの電話機１２８がＰＳＴＮ回線である通信回線１３０から切り離されている場合、ＣＩ着信しても外付けの電話機１２８は鳴動しない。いわゆるファクシミリ装置１００の無鳴動着信状態となる。
【００２８】
１１０１は、Ｈリレー１１０に含有されるリレー接点である。Ｈリレー駆動信号２５１の制御によりリレー接点１１０３と接続されるか、もしくは、切り離されるか、どちらかの状態となる。１１０２は、Ｈリレー１１０に含有されるリレー接点である。Ｈリレー駆動信号２５１の制御によりリレー接点１１０３と接続されるか、もしくは、切り離されるか、どちらかの状態となる。
リレー接点１１０３は、Ｈリレー１１０に含有されるリレー接点である。外付け電話機１２８と接続される接点である。１１０４は、Ｈリレー１１０に含有されるリレー接点である。Ｈリレー駆動信号２５１の制御によりリレー接点１１０６と接続されるか、もしくは、切り離されるか、どちらかの状態となる。
【００２９】
１１０５は、Ｈリレー１１０に含有されるリレー接点である。リレー接点１１０５は、Ｈリレー駆動信号２５１の制御によりリレー接点１１０６と接続されるか、もしくは、切り離されるか、どちらかの状態となる。リレー接点１１０６は、Ｈリレー１１０に含有されるリレー接点である。外付け電話機１２８と接続される接点である。
１１０７はコイルで、通電する事によりリレー接点１１０３をリレー接点１１０１に接続し、リレー接点１１０６をリレー接点１１０４に接続する。２５２は、直流印加回路２５３から供給する直流電源の印加をＯＮあるいはＯＦＦするためのＯＮ／ＯＦＦ制御信号である。２５３は直流印加回路である。２５４はＤＣ／ＡＣ変換回路で、直流印加回路２５３からの直流を交流に変換する。２５５は、ＤＣ／ＡＣ変換回路２５４に含有される絶縁素子である。絶縁素子２５５は、高電圧の印加されるＰＳＴＮ２１０側と低電圧で駆動されるＳＯＣ１０１側の絶縁を取るためのものである。
【００３０】
２５６は整流／平滑回路で、ＤＣ／ＡＣ変換回路２５４の出力信号である交流信号を直流信号に変換する。２５７はフック検知信号で、外付け電話機１２８が、オンフックすなわちインピーダンスが高い場合と、オフフックすなわちインピーダンスが低い場合により電圧が変化する信号である。
２６０は、ＳＯＣ１０１に含有されるＡ／Ｄ変換器で、アナログ信号であるフック検知信号２５７をデジタル値に変換するための回路である。なお、閾値が固定の場合は、通常の入力ポートで構成してもよい。２６２はスイッチ回路で、電源回路２６１を直流印加回路２５３に供給するか否かを制御する。２６４はフック検知回路で、外付け電話機１２８のオンフック状態またはオフフック状態に対応づけられる接続情報を検知する。
【００３１】
図２は、本実施形態を示すファクシミリ装置の制御方法を説明するフローチャートである。なお、各ステップは、ＳＯＣ１０１のＣＰＵ２００が記憶される制御プログラムを実行することで実現される。
Ｓ１０１で、ＳＯＣ１０１は、通信回線抜き差し検知タスクを開始し、Ｓ１０２で、無鳴動着信モードか否か判定する。ここで、無鳴動着信モードでないとＳＯＣ１０１が判断した場合、Ｓ１０３へ進む。
【００３２】
Ｓ１０３では、無鳴動着信モードでないとＳＯＣ１０１が判断した場合なので、図１に示したＳＯＣ１０１からＯＮ／ＯＦＦ制御信号２５２によりスイッチ回路２６２をオフし、電源回路２６１からの電源を、直流印加回路２５３へ通電しないようにする。これにより、直流印加回路２５３での電力消費がなくなる。
【００３３】
Ｓ１０４では、ＳＯＣ１０１がＨリレー駆動信号２５１の出力を制御して、Ｈリレー駆動回路２６３をオフし、コイル１１０７への通電を中止する。これによりリレー接点１１０３、１１０６がリレー接点１１０２、１１０５に接続し、電話機１２８を、通信回線１３０側に接続するので、コイル１１０７の電力消費がなくなる。Ｓ１０５では、外付け電話機１２８のオフフックをフック検知回路２６４で検知して、Ｓ１１５へ進み、本タスクを終了する。
【００３４】
一方、Ｓ１０６は、通信回線１３０がファクシミリ装置１００に接続されていることを検知しているかどうかを判断する。本実施形態では、ＳＤＡＡ１０４の電圧検知手段１５０で検知した電圧値が、ある一定値以下である場合に、通信回線１３０が接続されていないと判断する。電圧検知手段１５０の値あるいは、あらかじめ設定された閾値以下であることの判定結果は、モデム１０２のレジスタ２０６に絶縁素子１０３を介して転送される。ＳＯＣ１０１は、レジスタ２０６の値を見て、通信回線１３０が接続されていないと判断することができる。また、電流検知手段１５１を用いても同様の動作が可能である。この場合、ある一定の電流値以下の場合に、通信回線１３０が抜けていると判断する。
【００３５】
Ｓ１０７では、フック検知回路２６４のフック検知信号２５７を、ＡＤ変換器２６０で検知する事により、ＳＯＣ１０１が外付け電話機１２８のオフフックを検出しているかどうかを判断する。ここで、ＳＯＣ１０１が外付け電話機１２８のオフフックを検出していると判断した場合、Ｓ１０８は、ＯＮ／ＯＦＦ制御信号２５２によりスイッチ回路２６２をオフし、電源回路２６１からの電源を、直流印加回路２５３へ通電しないようにする。これにより、直流印加回路２５３での電力消費がなくなる。
【００３６】
Ｓ１０９では、ＳＯＣ１０１がＨリレー駆動信号２５１を制御して、Ｈリレー駆動回路２６３をオフしコイル１１０７への通電を中止する。これにより、リレー接点１１０３、１１０６がリレー接点１１０２、１１０５に接続し外付け電話機１２８を、通信回線１３０側に接続する。これにより、コイル１１０７の電力消費がなくなる。
【００３７】
一方、Ｓ１０７で外付け電話機１２８がオフフックされていないと判断された場合に、Ｓ１１０で、ＳＯＣ１０１のＯＮ／ＯＦＦ制御信号２５２によりスイッチ回路２６２をオンし、電源回路２６１からの電源を、直流印加回路２５３へ通電する。これにより、直流印加回路２５３での電力消費が発生する。
【００３８】
Ｓ１１１では、ＳＯＣ１０１がＨリレー駆動信号２５１を制御して、Ｈリレー駆動回路２６３をオンしコイル１１０７への通電を行う。これにより、リレー接点１１０３、１１０６がリレー接点１１０１、１１０４に接続し電話機１２８を、通信回線１３０側から切り離す。これにより、コイル１１０７の電力消費がなされる。
【００３９】
一方、Ｓ１０６で、通信回線が抜かれているとＳＯＣ１０１が判断した場合、Ｓ１１２に処理を進める。Ｓ１１２で、ＳＯＣ１０１のＯＮ／ＯＦＦ制御信号２５２によりスイッチ回路２６２をオフし、電源回路２６１からの直流電源の供給状態を、直流印加回路２５３へ通電しないようにする。これにより、直流印加回路２５３での電力消費がなくなる。
【００４０】
Ｓ１１３では、ＳＯＣ１０１がＨリレー駆動信号２５１を制御して、Ｈリレー駆動回路２６３をオフし、コイル１１０７への通電を停止する。これによりリレー接点１１０３、１１０６がリレー接点１１０２、１１０５に接続し、外付け電話機１２８を、通信回線１３０側に接続する。これにより、コイル１１０７の電力消費がなくなる。
【００４１】
Ｓ１１４は、ＳＯＣ１０１は、通信回線１３０が抜かれた後に、ファクシミリ装置１００に再接続されているかどうかを検知する。回線接続は、電圧検知手段１５０で検知した電圧値が、ある一定値以下である場合に、通信回線１３０が接続されていないと判断する。ここで、電圧検知手段１５０の値あるいは、あらかじめ設定された閾値以下であることの判定結果は、レジスタ２０６に絶縁素子１０３を介して転送される。ＳＯＣ１０１は、レジスタ２０６の値を見て、通信回線１３０が接続されていないと判断する。また、電流検知手段１５１を用いても同様の動作が可能である。この場合、ある一定の電流値以下の場合に、通信回線１３０が抜けていると判断する。そして、Ｓ１１５で、本タスクを終了する。
本実施形態におけるファクシミリ装置では、Ｓ１０６で通信回線が接続されていないと判断されると、Ｓ１１２で直流印加をオフする。この様子を示したのが、図６である。電源回路６２６１からの電圧は、スイッチ回路６２６２をオフする事により、直流印加回路６２５３へと伝達されない。なお、図３に示す符号６ＸＸＸで、図１の符号ＸＸＸと同じ符号は、同一の機能または対応するものとして、説明を省略する。
【００４２】
図３は、本実施形態を示すファクシミリ装置の制御方法を説明するフローチャートである。本処理は、Ｓ１１４の回線再接続のステップの詳細手順に対応する。なお、各ステップは、ＳＯＣ１０１のＣＰＵ２００が記憶される制御プログラムを実行することで実現される。
Ｓ２０１で、回線再接続検知タスクが開始されると、Ｓ２０２は、ＳＯＣ１０１は、回線再接続しているかどうかを判断する。Ｓ２０３では、外付け電話機１２８がオフフックされているかどうかを検知する。Ｓ２０４では、ＳＯＣ１０１は、直流印加をオンに遷移させる。具体的には、ＳＯＣ１０１がＯＮ／ＯＦＦ制御信号２５２を制御することによりスイッチ回路２６２をオンし、電源回路２６１からの電源を、直流印加回路２５３へ通電する。
【００４３】
Ｓ２０５では、ＳＯＣ１０１が出力するＨリレー駆動信号２５１を制御して、Ｈリレー駆動回路２６３をオンしコイル１１０７への通電を行う。これにより、リレー接点１１０３、１１０６がリレー接点１１０１、１１０４に接続し電話機１２８を、通信回線１３０側から切り離す。
【００４４】
Ｓ２０７では、ＳＯＣ１０１が直流印加をオフする。具体的にはＳＯＣ１０１がＯＮ／ＯＦＦ制御信号２５２することにより、スイッチ回路２６２をオフし、電源回路２６１からの電源を、直流印加回路２５３へ通電しないようにする。
【００４５】
Ｓ２０８は、ＳＯＣ１０１が出力するＨリレー駆動信２５１号を制御して、Ｈリレー駆動回路２６３をオフしコイル１１０７への通電を行わない。これによりリレー接点１１０３、１１０６がリレー接点１１０２、１１０５に接続し電話機１２８を、通信回線１３０側に接続する。そして、Ｓ２０６では、ＳＯＣ１０１がＳ２０５またはＳ２０８で設定された外付け電話機１２８のフック状態を検知する。そして、Ｓ２０９で、本タスクを終了する。
これにより、通信回線１３３の抜け時には、無鳴動状態を保持しつつ、直流印加回路をオフする事により、数百ｍＷの電力を削減できる。
【００４６】
〔鳴動着信モードと無鳴動着信モードの処理〕
以下、図４〜図６を参照して鳴動着信モードと無鳴動着信モード時の動作状態について説明する。
図４は、本実施形態を示すファクシミリ装置の電話機のフック検知状態を説明するブロック図である。本例は、鳴動着信時の外付け電話機１２８のオフフック検知のための印加電流の流れと通信回線着脱検知とオフフフック検知の信号の流れに対応する。なお、図３に示す符号４ＸＸＸで、図１の符号ＸＸＸと同じ符号は、同一の機能または対応するものとして、説明を省略する。
図４において、実線の矢印は外付け電話機１２８への印加電流あるいはリレーの駆動電流の流れ、破線の矢印は検知信号の流れを表している。
４０００は、通信回線４１３０との接続用モジュラージャックコネクタである。
【００４７】
図５は、本実施形態を示すファクシミリ装置の電話機のフック検知状態を説明するブロック図である。本例は、無鳴動着信時の外付け電話機１２８のオフフック検知に対応する。なお、図５に示す符号５ＸＸＸで、図１の符号ＸＸＸと同じ符号は、同一の機能または対応するものとして、説明を省略する。
図５において、実線の矢印は外付け電話機１２８への印加電流あるいはリレーの駆動電流の流れ、破線の矢印は検知信号の流れ、一点鎖線の矢印は制御信号の流れを表している。５０００は、通信回線５１３０との接続用モジュラージャックコネクタを示す。
【００４８】
図６は、本実施形態を示すファクシミリ装置の電話機のフック検知状態を説明するブロック図である。本例は、通信回線１３０が抜けている場合の通信回線着脱検知とオフフフック検知の信号の流れを説明する図である。破線の矢印は検知信号の流れ、一点鎖線の矢印は制御信号の流れを表している。なお、図５に示す符号６ＸＸＸで、図１の符号ＸＸＸと同じ符号は、同一の機能または対応するものとして、説明を省略する。
【００４９】
ここで、鳴動着信モードは、ＰＳＴＮ２１０が、外付け電話機１２８へ接続される。ここでＰＳＴＮは、公衆電話回線網の事である。電話交換機等を含有するものである。ＰＳＴＮ２１０の相手先のファクシミリ装置２２０あるいは相手電話機が、選択信号を送出し、ファクシミリ装置を選択すると、日本の場合は、ＰＳＴＮ２１０から１６Ｈｚで、７５Ｖの呼び出し信号が送られてくる。それにより、電話機１２８が鳴動する。
一方、無鳴動着信モードの時には、外付け電話機１２８は、ＰＳＴＮ２１０と切り離されている。そのため、呼び出し信号が送られてきても電話機１２８は、鳴動しない。
【００５０】
回線捕捉すなわちオフフック状態への移行はＳＤＡＡ１０４が行い、相手がファクシミリ装置でないと判断された場合は、スピーカ回路２５０で疑似ベル音すなわち外付け電話機１２８の鳴動音の代わりとなる音を発生させることも可能である。
【００５１】
鳴動着信モードの場合、図４に示すように、外付け電話機４１２８は、通信回線１３０と接続され、通信回線からの電流でフック検知を行う。この時、直流印加回路４００６へは、電源回路４２６１からの電圧は印加されない。また、コイル４１１０７へも電源回路４２６１からの駆動電流が流れない。
【００５２】
一方、無鳴動着信モードの場合、図５に示すように、電源回路５２６１からの電圧が、スイッチ回路５２６２、直流印加回路５２５３、ＤＣ／ＡＣ変換回路５２５４、整流／平滑回路５２５６、Ｈリレー５１１０を介して外付け電話機５１２８に伝達される。また、コイル５１１０７へは、電源回路５２６１からの電流が流れる。
【００５３】
〔第２実施形態〕
本実施形態では、無鳴動着信モードで、回線が抜かれた時に更なる省エネを行う例を説明する。本実施形態では、無鳴動着信時に設定され（図２に示すＳ１０２）、回線抜けを検知した場合（図２に示すＳ１０６）、次のように制御する。すなわち、外付け電話機１２８を回線から切り離すリレー（以下、Ｈリレー駆動回路２６３）の給電をやめ、外付け電話機１２８を回線に接続する（図２に示すＳ１１３）する構成とする。
【００５４】
具体的には、図２に示したＳ１１３で、Ｈリレーをオフする。この場合、すなわち、図６に示すように通信回線１３０が抜かれた場合、相手ファクシミリ装置が選択信号を送出して、ファクシミリ装置６１００を呼び出そうとしても、呼び出し信号がＭＪコネクタ６０００に印加される事はない。そのため、電話機６１２８を、Ｓ１１３で通信回線側に接続しても、外付け電話機６１２８が鳴動する事はない。そのため無鳴動を保持しつつ、省エネを行うことができる。
【００５５】
また、回線が抜かれた状態で、ユーザが外付け電話機６１２８をオフフックした場合、ユーザは外付け電話機６１２８のスピーカからのダイヤルトーンがなく無音である事に気づく。この時、ユーザが回線をファクシミリ装置に再接続すると、即座に外付け電話機６１２８が回線に接続され通話が可能になるという効果もある。
【００５６】
〔第３実施形態〕
本実施形態では、上記第２実施形態におけるファクシミリ装置で、該回線抜け後の回線再接続の検知（図２に示すＳ２０２）を行った後に、該外付け電話機１２８のオフフック検知を行う（図２に示すＳ２０３）。そして、該外付け電話機１２８がオフフックの場合には、該ＨリレーをＯＮしない（図２に示すＳ２０８）。一方、該外付け電話機１２８がオンフックの場合には、該ＨリレーをＯＮし（図２に示すＳ２０５）、通信回線１３０から外付け電話機１２８を切り離す。そして、該外付け電話機１２８への直流印加を行う直流印加回路２５３をＯＮする（図２に示すＳ２０４）ように構成する。
本実施形態におけるファクシミリ装置では、通信回線１３０に再接続された時に外付け電話機１２８がオフフックであるかどうかを検知する。そして、オフフックの場合には無鳴動着信モードであってもＨリレーはＯＦＦのままとし、直流印加回路２５３はＯＦＦのままにする。これにより、無駄な消費電力を抑えると同時に、通信回線を外付け電話機１２８で回線捕捉する状態を保持し、回線断になる事を防ぐ。
【００５７】
〔第４実施形態〕
本実施形態では、上記第３実施形態におけるファクシミリ装置で、該回線抜け検知（図２に示すＳ１０６）を、ＳＤＡＡ（図１に示す１０４）、モデム（図１に示す１０２）で行う構成である。ここで、回線抜け検知は、ＳＤＡＡ１０４に内蔵された電圧検知手段１５０あるいは、電流検知手段１５１により回線上の電圧あるいは電流を検出する事により行う。モデム１０２内のレジスタ２０６をＳＯＣ１０１が読み出すことにより回線抜け検知を行う。
こにより、特別なハードウェアの追加なしに、低コストで回線抜け検知処理を実現出来る。
【００５８】
本発明は、上述の実施形態の１以上の機能を実現するプログラムを、ネットワーク又は記憶媒体を介してシステムまたは装置に供給する。そして、そのシステム又は装置のコンピュータにおける１つ以上のプロセッサがプログラムを読み出し実行する処理でも実現可能である。また、１以上の機能を実現する回路（例えばＡＳＩＣ）によっても実現可能である。
【符号の説明】
【００５９】
１１０  Ｈリレー
１５０  電圧検知手段
１５１  電流検知手段
【図１】
2016225936.tif 000003
【図２】
2016225936.tif 000004
【図３】
2016225936.tif 000005
【図４】
2016225936.tif 000006
【図５】
2016225936.tif 000007
【図６】
2016225936.tif 000008